(57)【要約】【課題】  操作の利便性を確保すると共に、誤動作を防止する。【解決手段】  眼底カメラである装置本体と、撮影条件を設定するための第１操作部を有し装置本体に装着される汎用デジタルカメラと、撮影条件を設定するための第２操作部を有し，装置本体とは離れた位置に置かれるパーソナルコンピュータと、を備える眼底撮影装置において、前眼部観察時において前記第１操作部及び第２操作部の操作入力を有効とし，眼底観察時において前記第１操作部及び第２操作部の操作入力を無効とする制御を行う制御手段を有し、該制御手段は、前記第２操作部からの所定の操作信号に基づいて前記操作入力を無効とする制御を解除し，前記汎用デジタルカメラに対する前記第１操作部及び前記第２操作部からの前記撮影条件を設定するための操作入力を有効とする制御を行う。【選択図】      図４
2008054928.tif 000002
【特許請求の範囲】
【請求項１】
前眼部及び眼底を観察する観察光学系と，被検眼の眼底を撮影する眼底撮影光学系とを有する装置本体と、
撮影条件を設定するための第１操作部と，前記眼底撮影光学系を介して被検眼の眼底像を撮像する撮像手段とを有し、前記装置本体に装着される汎用デジタルカメラと、
撮影条件を設定するための第２操作部を有し，前記装置本体とは離れた位置に置かれるとともに，前記装置本体及び前記汎用デジタルカメラと接続され信号のやりとりを行うパーソナルコンピュータと、
を備える眼底撮影装置において、
前眼部観察時において前記第１操作部及び第２操作部の操作入力を有効とし，眼底観察時において前記第１操作部及び第２操作部の操作入力を無効とする制御を行う制御手段を有し、
該制御手段は、前記第２操作部からの所定の操作信号に基づいて前記操作入力を無効とする制御を解除し，前記汎用デジタルカメラに対する前記第１操作部及び前記第２操作部からの前記撮影条件を設定するための操作入力を有効とする制御を行うことを特徴とする眼底撮影装置。
【請求項２】
請求項１の眼底撮影装置において、前記所定の操作信号とは前記第２操作部によって撮影条件を設定するための設定画面を前記パーソナルコンピュータに接続されるモニタに呼び出す操作信号であることを特徴とする眼底撮影装置。
【請求項３】
請求項１の眼底撮影装置において、前記第２操作部は前記制御手段によって解除された撮影準備状態を再度復帰させるための撮影準備状態復帰手段を有することを特徴とする眼底撮影装置。
【発明の詳細な説明】
【技術分野】
【０００１】
本発明は、被検眼の眼底を撮影する眼底撮影装置に関する。
【背景技術】
【０００２】
眼底撮影装置としては、撮影手段として汎用デジタルカメラを利用するものが知られている。この場合、汎用デジタルカメラに設けられた操作部によってカメラのＩＳＯ感度の調整や撮影画像のファイルサイズの変更等を行うことも可能である。
【０００３】
また、特許文献１には、眼底観察時の誤操作を防止するために、前眼部観察モードから眼底観察モードに切り換わる切換信号によって画像記録手段に設けられた操作パネルからの入力を無効にする眼底撮影装置が開示されている。
【特許文献１】特開平７−１７１１０９号公報
【発明の開示】
【発明が解決しようとする課題】
【０００４】
しかしながら、特許文献１の場合、眼底観察時には、操作パネルからの入力が無効となるため、眼底観察に移行した後に撮影条件の変更（例えば、ＩＳＯ感度の調整など）を行うには、わざわざ眼底観察モードから前眼部観察モードに切り換える必要があり、利便性が良くない。
【０００５】
本発明は、上記従来技術の問題点を鑑み、操作の利便性を確保すると共に、誤動作を防止することができる眼底撮影装置を提供することを技術課題とする。
【課題を解決するための手段】
【０００６】
上記課題を解決するために、本発明は以下のような構成を備えることを特徴とする。
【０００７】
（１）  前眼部及び眼底を観察する観察光学系と，被検眼の眼底を撮影する眼底撮影光学系とを有する装置本体と、撮影条件を設定するための第１操作部と，前記眼底撮影光学系を介して被検眼の眼底像を撮像する撮像手段とを有し、前記装置本体に装着される汎用デジタルカメラと、撮影条件を設定するための第２操作部を有し，前記装置本体とは離れた位置に置かれるとともに，前記装置本体及び前記汎用デジタルカメラと接続され信号のやりとりを行うパーソナルコンピュータと、を備える眼底撮影装置において、
前眼部観察時において前記第１操作部及び第２操作部の操作入力を有効とし，眼底観察時において前記第１操作部及び第２操作部の操作入力を無効とする制御を行う制御手段を有し、該制御手段は、前記第２操作部からの所定の操作信号に基づいて前記操作入力を無効とする制御を解除し，前記汎用デジタルカメラに対する前記第１操作部及び前記第２操作部からの前記撮影条件を設定するための操作入力を有効とする制御を行うことを特徴とする。
（２）  （１）の眼底撮影装置において、前記所定の操作信号とは前記第２操作部によって撮影条件を設定するための設定画面を前記パーソナルコンピュータに接続されるモニタに呼び出す操作信号であることを特徴とする。
（３）  （１）の眼底撮影装置において、前記第２操作部は前記制御手段によって解除された撮影準備状態を再度復帰させるための撮影準備状態復帰手段を有することを特徴とする。
【発明の効果】
【０００８】
本発明によれば、操作の利便性を確保すると共に、誤動作を防止することができる。
【発明を実施するための最良の形態】
【０００９】
以下、本発明に係る実施形態を図面に基づいて説明する。図１は本実施形態に係る眼底撮影装置の構成図を示す。本実施形態の眼底撮影装置は、被検眼の眼底を撮影する眼底撮影光学系を有する装置本体（眼底カメラ）１００と、被検眼の眼底を撮像する撮像素子２０１を有し装置本体１００に装着される汎用デジタルカメラ２００と、装置本体１００及びカメラ２００と接続され信号のやりとりを行うパーソナルコンピュータ（ＰＣ）３００に大別される。ＰＣ３００は、各種演算や制御を行う演算制御部３０１及び記憶部３０２が内蔵された制御ユニット３０３、画像データ等を表示する表示モニタ３０４、検者によって操作入力される操作部３０５としてのキーボード３０５ａやマウス３０５ｂを有する。このようなＰＣ３００は、装置本体１００とケーブルを介して接続され、装置本体１００を用いて撮影を行う際に誤って触れてしまうことが無い程度の距離だけ離れた場所に置かれる。なお、ＰＣ３００は記憶部３０２に画像管理ソフト（プログラム）が予め記憶されており、操作部を用いてこの画像管理ソフトを起動させ、所定の操作を行うことにより、装置本体１００にて撮影された眼底画像のファイリングや画像処理を行うことができる。また、この画像管理ソフトを使用して装置本体１００及びカメラ２００の各種設定も行うことができる。
【００１０】
装置本体１００には、眼底撮影光学系の他に、被検眼の眼底を観察するための眼底観察光学系、被検眼の前眼部を観察するための前眼部観察光学系、表示モニタ７、被検眼に対して撮影光学系を相対移動させるためのジョイスティック４、コントロール部８４が設けられている。
【００１１】
装置本体１００の光学系において、観察用光源１１から対物レンズ２５に至る光路上には、コンデンサレンズ１５、撮影用光源１４、ミラー１９、リレーレンズ２１、孔あきミラー２２が順次に配列され、孔あきミラー２２の後方の光路上には、合焦レンズ３２、結像レンズ３３が配列されている。
【００１２】
また、結像レンズ３３の後方の光路上にはカメラ２００が取り付けられており、装置本体１００に設けられた眼底撮影光学系を介して被検眼のカラー眼底像を撮影する。２０１は撮影用の二次元撮像素子である。
【００１３】
ミラー３４の反射方向の光路には、赤外光反射、可視光透過の特性を有するダイクロイックミラー３７、リレーレンズ３６、赤外域に感度を有する観察用二次元撮像素子３８が配置されている。撮像素子３８の出力は、後述する制御部７０に接続され、表示モニタ７に表示される。また、ダイクロイックミラー３７の透過方向の光路には、被検眼を固視させるための図示無き固視標呈示光学系が設けられている。
【００１４】
また、対物レンズ２５と孔あきミラー２２の間には、光路分岐部材としての挿脱可能なダイクロイックミラー（波長選択性ミラー）２４が斜設されている。ダイクロイックミラー２４は、図示無き前眼部照明光源の波長光（赤外光）を反射し、前眼部照明光の波長と異なる眼底観察用照明の波長光（赤外光）を透過する特性を有する。撮影時には、ダイクロイックミラー２４は挿脱機構６６により連動して跳ね上げられ、光路外に退避する。また、ダイクロイックミラー２４の反射側（反射方向）には、リレーレンズ６１、ミラー６２、リレーレンズ６４、赤外域の感度を持つ二次元撮像素子６５を備える。
【００１５】
観察用光源１１を出射した光束は、コンデンサレンズ１５、ミラー１９、リレーレンズ２１を通り、孔あきミラー２２の周辺で反射され、対物レンズ２５、被検眼Ｅの瞳孔を通り眼底を照明する。そして、眼底からの反射光は、被検眼の瞳孔、対物レンズ２５、穴あきミラー２２の孔の中を通り、合焦レンズ３２、結像レンズ３３、跳ね上げミラー３４、ダイクロイックミラー３７、リレーレンズ３６を介して撮像素子３８に結像する。
【００１６】
また、撮影光源１４を出射した光束は、上述の観察光と同様の光路を辿って被検眼Ｅの眼底を照明する。そして、眼底からの反射光は、対物レンズ２５、孔あきミラー２２の開口部、合焦レンズ３２、結像レンズ３３を介して、カメラ２００の撮像素子２０１に結像する。
【００１７】
また、図示無き前眼部照明光源により照明された前眼部からの反射光は、対物レンズ２５、ダイクロイックミラー２４、及びリレーレンズ６１からリレーレンズ６４の光学系を介して二次元撮像素子６５により受光される。
【００１８】
図２はデジタルカメラ２００を背面から見たときの外観図である。２４０は検者によって操作入力される操作部であり、デジタルカメラ２００の撮影条件の設定を行うことが可能である。また、２０７は液晶モニタであり、設定画面などが表示される。この場合、検者は、液晶モニタ２０７を見ながら、操作部２４０を用いて設定変更（撮像素子２０１の感度（例えば、ＩＳＯ感度）や撮影画像のファイルサイズの調整など）を行うことができる。なお、本実施形態では、操作部２４０を用いて行うことができるカメラ２００に関する撮影条件の設定は、ＰＣ３００に設けられた操作部３０５を用いて行うことも可能である。
【００１９】
図３は本実施形態に係る眼底撮影装置の制御系を示したブロック図を示す。装置本体１００に設けられた制御部７０は、装置本体１００全体の制御を行ったり、撮影開始スイッチ（レリーズスイッチ）４ａの入力によりカメラ２００への撮影開始信号（レリーズ信号）の送信等を行う。制御部７０には、撮影開始スイッチ４ａ、撮像素子３８、撮像素子６５、挿脱機構３９、挿脱機構６６、各種のスイッチを持つスイッチ部８４、観察光源１１、撮影光源１４等が接続されている。なお、スイッチ部８４には、前眼部観察と眼底観察を切り換えるための切換スイッチ８４ａ、観察光源１１の光量を調整するための観察光量調整ノブ８４ｂ、眼底像のフォーカス調整を行うためのフォーカス調整スイッチ８４ｃ、被験者眼に対する固視標の呈示位置を変更するための固視標呈示スイッチ８４ｄ等が配置されている。また、制御部７０は表示モニタ７に接続されており、撮像素子３８によって撮像された眼底像や撮像素子６５によって撮像された前眼部像を観察像として表示モニタ７に表示する。また、制御部７０は、ケーブル９５を介してＵＳＢハブ９７に接続されている。
【００２０】
デジタルカメラ２００の筐体内に内蔵されたカメラ制御部２７０は、撮像素子２０１、液晶モニタ２０７、操作部２４０、等と接続されている。カメラ制御部２７０は、撮像素子２０１から送られてくる撮影画像をＰＣ３００側に送信する。また、装置本体１００とカメラ２００はケーブル９０を介して接続されており、ケーブル９０を介して眼底撮影を実行させるための撮影開始信号及びカメラ２００を撮影準備状態にするための撮影準備信号が制御部７０からカメラ制御部２７０へと入力される。また、カメラ２００のカメラ制御部２７０は、撮影開始信号の入力に応じて撮影を実行し、撮影準備信号の入力に応じて撮影準備状態に移行する。また、ケーブル９０を介して撮影準備状態を解除するための解除信号が制御部７０からカメラ制御部２７０に入力され、カメラ制御部２７０は解除信号に応じて撮影準備状態を解除する。なお、本実施形態のカメラ２００はシャッタボタンを有し、通常、シャッタボタンが深く押されると撮影が実行され、シャッタボタンが浅く押された状態（半押し状態）では撮影の準備（例えば、カメラの露出・ホワイトバランスの設定）が行われるような仕様となっているため、本実施形態の装置本体１００は、これに対応するべく、シャッタボタンが深く押された際と同様の信号を撮影開始信号として送信し、シャッタボタンが浅く押された際と同様の信号を撮影準備信号として送信するような構成となっている。
【００２１】
さらに、本実施形態のカメラ制御部２７０は、撮影準備状態において、カメラ２００の操作部２４０及び外部（例えば、ＰＣ３００の操作部３０５）からの操作入力を無効とするような制御を行うような仕様となっている。このため、撮影準備状態を解除しない限りは、検者による操作部２４０や操作部３０５の操作によってカメラ２００の撮影条件に関する各種設定変更（例えば、カメラ２００のＩＳＯ感度、シャッタースピードや撮影画像のファイルサイズ等）を行うことができないような構成となっている。
【００２２】
また、ケーブル９０を介して装置本体の撮影光源１４を発光させるための発光（ストロボ）信号がカメラ制御部２７０から制御部７０へと入力されるようになっている。また、カメラ２００は、ケーブル９６を介してＵＳＢハブ９７に接続されている。
【００２３】
また、ＵＳＢハブ９７は、ケーブル９８を介してＰＣ３００の演算制御部３０１と接続されている。これにより、演算制御部３０１は、ＰＣ３００全体の制御を行うと共に、装置本体１００及びカメラ２００の制御を行うことが可能である。
【００２４】
また、ＰＣ３００では、カメラ２００の撮像素子２０１によって撮影された眼底画像が前述した画像管理ソフトによって記憶、保存、表示され、疾患の診断に利用される。また、操作部３０５を用いて装置本体１００やカメラ２００を操作することも可能である。なお、ＰＣ３００の表示モニタ３０４は、眼底画像を詳細に観察できるように、通常は装置本体１００のモニタ７より大きな画面サイズを持ち、その解像度もモニタ７より高いものが使用される。また、制御ユニット３０３は装置本体１００よりも高いグラフィック機能を持つ。また、ＰＣ３００の記憶部３０２は、多くの眼底画像をデジタルデータで記憶することが可能である。さらに、記憶部３０２に、所定の眼底画像解析プログラムを搭載させることにより、眼底画像の解析を行い、眼底疾患を画像処理にて発見することも可能である。
【００２５】
以上のような構成を備える眼底撮影装置の動作について説明する。始めに検者は、装置本体１００、カメラ２００の電源を投入するとともに、ＰＣ３００に記憶されている画像管理ソフトを起動させておく。図４はカメラ２００に対する操作入力に関して説明する図である。
【００２６】
装置本体１００の初期段階（初期設定）では、ダイクロイックミラー２４が眼底撮影光学系の光路に挿入されており、二次元撮像素子６５に撮像された前眼部像がモニタ７に表示される。なお、前眼部観察状態（前眼部観察モード）において、制御部７０は、操作部２４０及び操作部３０５からの入力を有効とする信号をカメラ制御部２７０に送信し、検者による操作部２４０及びＰＣ３００の操作部３０５に対する操作入力を有効とする。この場合、検者は、操作部２４０及び操作部３０５を用いてカメラ２００の設定変更が可能である。カメラ２００の設定変更は、表示モニタ３０４に表示されている画像管理ソフトの操作画面からカメラ２００の設定画面を呼び出すことにより設定可能である。
【００２７】
ここで、検者は、表示モニタ７の前眼部観察像を見ながらジョイスティック４を用いてアライメントを行い、ある程度のアライメントが合ったところで切換スイッチ８４ａを押す。切換スイッチ８４ａからの切換信号が制御部７０に入力されると、制御部７０は、モニタ７に表示する観察像を前眼部像から眼底像に切り換える。また同時に、制御部７０は、操作部２４０及び操作部３０５からの入力を無効とする信号（撮影準備信号）をカメラ制御部２７０に送信する。これに応じて、カメラ制御部２７０は、カメラ２００を撮影準備状態に移行させると共に、操作部２４０及び操作部３０５からの検者による操作入力を有効から無効に切り換える。
【００２８】
ここで、検者は、モニタ７に表示される眼底画像を見ながら、眼底像のフレア等を確認し、所望する状態で撮影できるように、さらにジョイスティック４の手動操作にてアライメント状態を微調整する。また、検者は、フォーカス調整スイッチ８４ｃを操作して、眼底のフォーカス合わせを行う。そして、アライメントの微調整及びフォーカス合わせが完了した後、検者が撮影開始スイッチ４ａを押すことにより眼底撮影を行う。
【００２９】
なお、本実施形態においては、眼底観察状態の切換に伴いカメラ２００が撮影準備状態に移行され、操作部２４０及び操作部３０５からの操作入力が無効となっていても、ＰＣ３００の操作部３０５からの所定の操作信号に基づいてカメラ２００の設定変更を行うことができる構成となっている。すなわち、画像管理ソフトを用いてカメラ２００の撮影条件を変更するための画面を呼び出すと、これに応じて演算制御部３０１は、カメラ制御部２７０に対して操作部３０５及び操作部２４０からの操作入力を無効とする制御を解除する信号（撮影準備状態を解除する信号）を送信する。そして、カメラ制御部２７０は、この操作入力を無効とする制御を解除する信号を受けることにより、操作部３０５及び操作部２４０からの撮影条件を設定するための操作入力を無効から有効（撮影準備状態を解除する）とする。その後、検者は操作部３０５を用いて、カメラ２００の撮影条件の変更・設定を行う。
【００３０】
例えば、操作部３０５を用いて表示モニタ３０４上に撮影条件を変更する画面を呼び出し、撮像素子２０１のＩＳＯ感度を調整するための操作が行われ、この操作信号がカメラ制御部２７０に送られた場合、カメラ制御部２７０は、カメラ２００の撮影準備状態を解除し、その操作信号に基づいてＩＳＯ感度を設定し直す。なお、本実施形態ではＰＣ３００側にて撮影条件の変更する画面を呼び出すことにより、撮影準備状態を解除するものとしているが、これに限るものではなく、操作部３０５からの所定の操作信号に基づいて撮影準備状態を解除したのち、操作部２４０から操作入力を行うようにしてもよい。
【００３１】
このようにして、カメラ２００の設定変更が完了したら、検者は、操作部３０５もしくは操作部２４０に設けられた所定の復帰（切換）スイッチによって、カメラ２００を撮影準備状態に再度復帰させ、操作部２４０及び操作部３０５からの操作入力を有効から無効に再度切り換える。この場合、操作部３０５からの操作信号の入力がなくなって所定時間経過した後に、自動的に操作部２４０及び操作部３０５からの操作入力を無効とするようにしてもよい。このようにすれば、モニタ７を見ながらの眼底観察時において、検者が誤って操作する可能性が少ないＰＣ３００の操作部３０５からの操作入力に基づいてカメラ２００の設定変更を可能としつつ、検者が誤って触れてしまう可能性が高いカメラ２００の操作部２４０からの操作入力に基づくカメラ２００の設定変更を不可とすることができる。これにより、検者による誤操作の発生を防止すると共に、検者が所望するタイミングでカメラ２００の設定変更を行うことができるという利便性を確保できる。また、ＰＣ３００での一括管理が可能となる。
【００３２】
以下に、撮影開始スイッチ４ａを押された後の動作について簡単に説明する。ここで、撮影開始スイッチ４ａから撮影開始のトリガ信号が制御部７０に入力されると、制御部７０は、撮影開始信号をカメラ２００のカメラ制御部２７０に送信する。これに基づいて、カメラ制御部２７０は、装置本体１００の制御部７０に同期信号を送信する。そして、制御部７０は、同期信号に基づいて撮影光源３１を発光させる。これにより、撮像素子３０１にカラー眼底像が撮影される。そして、撮影された眼底画像はＰＣ３００の記憶部３０２に記憶される。そして、制御部３０１は、記憶部３０２に記憶された眼底画像を表示モニタ３０４に表示する。
【００３３】
なお、以上の説明においては、ＰＣ３００の演算制御部３０１からカメラ２７０の制御部２７０に対してカメラ２７０への操作入力の有効／無効を切り換える信号を直接送信するような構成としたが、これに限るものではない。例えば、ＰＣ３００の演算制御部３０１から装置本体１００の制御部７０に同様の信号を送信し、装置本体１００の制御部７０及びケーブル９０を介して、カメラ２７０への操作入力の有効／無効を切り換えるようにしてもよい。
【図面の簡単な説明】
【００３４】
【図１】本実施形態に係る眼底撮影装置の構成図を示す。
【図２】汎用デジタルカメラを背面から見たときの外観図である。
【図３】本実施形態に係る眼底撮影装置の制御系を示したブロック図を示す。
【図４】汎用デジタルカメラに対する操作入力に関して説明する図である。
【符号の説明】
【００３５】
１００  装置本体
２００  汎用デジタルカメラ
２０１  二次元撮像素子
２４０  操作部
２７０  カメラ制御部
３００  パーソナルコンピュータ
３０１  演算制御部
３０４  表示モニタ
３０５  操作部
【図１】
2008054928.tif 000003
【図２】
2008054928.tif 000004
【図３】
2008054928.tif 000005
【図４】
2008054928.tif 000006